(57)【要約】      （修正有）【課題】簡易な構成で視覚障害者を安全に誘導や警告などの案内ができる視覚障害者誘導用ブロックを提供する。【解決手段】ドットコード付視覚障害者誘導用ブロック４０は、赤外線センサーを有する音声案内装置付白杖を使用している視覚障害者に対して、音声で誘導、警告などの案内をするものであり、赤外線吸収機能を有する赤外線吸収ドット４２ｂを、所定の規則に従って配列し、その配置のパターンによって特定のコード番号や座標情報などを定義して、音声情報として用いることができるドットコード４２ａを印刷したドットコード付シート４２を、視覚障害者誘導用ブロック４１に貼り付けて形成される。【選択図】図２
0003201482.tif 000002
【実用新案登録請求の範囲】
【請求項１】
ドットを所定の規則に従って配列することにより情報として用いるドットコードが、視覚障害者を誘導する視覚障害者誘導用ブロックに施されていることを特徴とするドットコード付視覚障害者誘導用ブロック。
【請求項２】
前記ドットコードが施された視覚障害者誘導用ブロックは、前記視覚障害者誘導用ブロックに、複数の前記ドットコードが印刷されている構成であることを特徴とする請求項１に記載のドットコード付視覚障害者誘導用ブロック。
【請求項３】
前記ドットコードが施された視覚障害者誘導用ブロックは、複数の前記ドットコードが印刷されたドットコード付シートが、前記視覚障害者誘導用ブロックに貼り付けられている構成であることを特徴とする請求項１に記載のドットコード付視覚障害者誘導用ブロック。
【考案の詳細な説明】
【技術分野】
【０００１】
本考案は、ドットコード付視覚障害者誘導用ブロックに関する。
【背景技術】
【０００２】
地面や床面にブロックを敷設することで視覚障害者を安全に誘導する視覚障害者誘導用ブロックが知られている。
【考案の概要】
【考案が解決しようとする課題】
【０００３】
上記の視覚障害者に誘導や警告のための視覚障害者誘導用ブロックは視覚障害者に十分な案内ができないという問題があった。
【０００４】
そこで本考案は、このような課題を解決するためになされたもので、複雑な構成ではなく簡易に視覚障害者を安全に誘導や警告などの案内ができる視覚障害者誘導用ブロックを提供することを目的とする。
【課題を解決するための手段】
【０００５】
上記課題を解決するために、本考案に係るドットコード付視覚障害者誘導用ブロックは、ドットを所定の規則に従って配列することにより情報として用いるドットコードが、視覚障害者を誘導する視覚障害者誘導用ブロックに施されていることを特徴とする。
【０００６】
本考案に係るドットコード付視覚障害者誘導用ブロックの態様について、前記ドットコードが施された視覚障害者誘導用ブロックは、前記視覚障害者誘導用ブロックに、複数の前記ドットコードが印刷されている構成であることが好ましい。
【０００７】
本考案に係るドットコード付視覚障害者誘導用ブロックの態様について、前記ドットコードが施された視覚障害者誘導用ブロックは、複数の前記ドットコードが印刷されたドットコード付シートが、前記視覚障害者誘導用ブロックに貼り付けられている構成であることが好ましい。
【考案の効果】
【０００８】
本考案のドットコード付視覚障害者誘導用ブロックによれば、複雑な構成ではなく簡易に視覚障害者を安全に誘導や警告などの案内ができる視覚障害者誘導用ブロックを提供することができる。
【図面の簡単な説明】
【０００９】
【図１】ドットコード付視覚障害者誘導用ブロックの使用の一例を示す模式図である。
【図２】ドットコード付視覚障害者誘導用ブロックの一例を説明する模式図である。
【考案を実施するための形態】
【００１０】
以下、本考案のドットコード付視覚障害者誘導用ブロックについて図１及び図２を用いて説明する。
【００１１】
図１に示すように、ドットコード付視覚障害者誘導用ブロック４０は、音声案内装置付白杖１０を使用している視覚障害者Ｈに対して、白杖２０に内蔵されている音声案内装置３０を介して音声で誘導、警告などの案内をするものであり、以下各構成について説明する。
【００１２】
音声案内装置３０は、部材の一例である視覚障害者誘導用ブロック４１に施されたドットコード付視覚障害者誘導用ブロック４０から、ドットコード４２ａの情報を読み取るセンサーの一例である赤外線センサー３１を有している。
【００１３】
ドットコード付視覚障害者誘導用ブロック４０は、例えば、直径０．０５ｍｍのドットで形成された赤外線吸収機能を有する赤外線吸収ドット４２ｂを、所定の規則に従って配列し、情報として用いるドットコード４２ａが、視覚障害者誘導用ブロック４１に施されたものである。
【００１４】
図２に示すように、ドットコード付視覚障害者誘導用ブロック４０は、実施形態において、複数のドットコード４２ａが印刷されたドットコード付シート４２を、視覚障害者誘導用ブロック４１に貼り付けられている構成であるが、これに限定されず、例えば、視覚障害者誘導用ブロック４１に、複数のドットコード４２ｂが印刷されている構成であってもよい。
【００１５】
また、図２に示すドットコード４２ａには、例えば、２ｍｍ角の範囲に、３２個のドットがパターンとして配置されているなど、一定の法則に基づいて赤外線吸収ドット４２ｂが配置されており、この配置のパターンによって特定のコード番号や座標情報などが定義されており、この例においては、例えば赤外線センサー３１による撮像が、直径４ｍｍであれば、２ｍｍ角のドットコードを検出することができる。
【００１６】
ドットコード付シート４２に用いるシートは、薄くて広がりがあり、赤外線吸収ドット４２ｂが、印刷されるもので、素材はプラスチック、布、紙、金属など多様であり、視覚障害者誘導用ブロック４１の配置されている場所、例えば、横断歩道、階段、分かれ道、バス停留所、エスカレータ、エレベータ、トイレ、駅構内の案内、駅ホーム乗車口、施設内の案内に応じて素材を選択し、防水性などのコーティングを施してもよく、また、上記のとおり、視覚障害者誘導用ブロック４１に、複数のドットコード４２ａを直接印刷する構成であってもよい。
【００１７】
また、音声案内装置３０は、赤外線センサー３１で読み取られたドットコード４２ａの情報を対応する音声データに変換する制御部３２を有し、この音声データを音声として出力する音声発生器の一例であるスピーカー３３を有している。
【００１８】
音声発生器は、一例としてスピーカー３３を用いているが、これに限定されず、例えば、イヤホーンを用いてもよく、また、携帯端末に転送してこの携帯端末から視覚障害者Ｈに通知してもよい。
【００１９】
赤外線センサー３１は、白杖２０内部の先端部２１に設けられており、また、制御部３２とスピーカー３３は、白杖２０の内部の上端部２２に設けられている。
【００２０】
上記の音声案内装置付白杖１０は、白杖２０の先端部２１が、ドットコード付視覚障害者誘導用ブロック４０の領域の任意の部分に接することで、すなわち、先端部２１が、ドットコード付シート４２が貼り付けられている領域または複数のドットコード４２ａが直接印刷されている領域のいかなる部分に接したとしても、赤外線センサー３１が、複数のドットコード４２ａの内から接した部分のドットコード４２ａの情報を読み取り、制御部３２が、ドットコード４２ａの情報を対応する音声データに変換してスピーカー３３に伝送し、スピーカー３３で音声データが音声に変換されて視覚障害者Ｈに伝達される。
【００２１】
また、例えば、上記のドットコード付シート４２が貼り付けられている領域または複数のドットコード４２ａが直接印刷されている領域には、複数の同一の情報、例えば、横断歩道です、という音声を発するためのコードを有する複数の同一のドットコード４２ａが施されており、一方、この領域とは異なる他の領域においては、複数の同一の他の情報、例えば、階段です、という音声を発するためのコードを有する複数の同一の他のドットコードが施されている構成であってもよい。
【００２２】
上記のような特徴を有する本考案のドットコード付視覚障害者誘導用ブロックは、例えば、ドットコードを用いたドットコード付シートを視覚障害者誘導用ブロックに貼りつけることで、視覚障害者は音声案内装置付白杖を用いてドットコードからの情報を音声で聞くことができる簡易な構成とすることができ、視覚障害者に対する音声案内の普及を図ることができるものである。
【００２３】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２４】
また、ドットコード付視覚障害者誘導用ブロックの大きさや形状、素材の厚さ、重さなどについては多様な実施形態が可能であり、それらについて本実施形態と異なる形態による実施は、本考案の技術的範囲に含まれる。
【符号の説明】
【００２５】
１０  音声案内装置付白杖
２０  白杖
２１  先端部
２２  上端部
３０  音声案内装置
３１  赤外線センサー
３２  制御部
３３  スピーカー
４０  ドットコード付視覚障害者誘導用ブロック
４１  視覚障害者誘導用ブロック
４２  ドットコード付シート
４２ａ  ドットコード
４２ｂ  赤外線吸収ドット
Ｈ    視覚障害者
【図１】
0003201482.tif 000003
【図２】
0003201482.tif 000004